【事件の表示】
　特願２０１３−　９６２４１「液体噴射装置」拒絶査定不服審判事件〔平成２５年　８月２９日出願公開、特開２０１３−１６６３８５〕について、次のとおり審決する。
【結　論】
　本件審判の請求は、成り立たない。
【理　由】
１．手続の経緯 
　本件出願は、平成２０年３月１１日（以下「優先日」という。）に出願した特願２００８−６０６８１号を先の出願として、同年１１月５日付けで特許法第４１条第１項に規定する優先権の主張を伴う特許出願とした特願２００８−２８４１２１号の一部を、平成２５年５月１日付けで特許法第４４条第１項の規定による新たな特許出願（分割出願）としたもので、平成２５年５月２９日付け、平成２６年６月１９日付け、及び平成２７年４月２１日付けで手続補正書が提出され、平成２７年６月２６日付けで同年４月２１日付けの手続補正は却下されると同時に拒絶の査定がなされ（同査定の謄本の送達（発送）日　同月３０日）、これに対し、同年９月１６日に拒絶査定に対する審判請求がされると同時に手続補正書が提出されて特許請求の範囲を補正する手続補正がなされ、さらに、当審において平成２８年７月２５日付けで拒絶理由を通知したところ、同通知で指定した期間内の同年９月２３日付けで意見書及び手続補正書が提出されたものである。
　
２．本願の発明
　本願の請求項１に係る発明は、上記の平成２８年９月２３日付け手続補正によって補正された特許請求の範囲、明細書及び図面の記載からみて、その特許請求の範囲の請求項１に記載された、次のとおりのものと認める（以下「本願発明」という。）。　
　「【請求項１】
　媒体に対して液体を噴射する複数の液体噴射ヘッドと、
　噴射された前記液体が着弾した前記媒体を加熱する加熱手段と、
　前記加熱手段と前記複数の液体噴射ヘッドの間に設けられた第１ダクトと、
　前記複数の液体噴射ヘッドを挟んで前記加熱手段とは逆側に設けられている第２ダクトと、を備える液体噴射装置において、
　前記第１ダクトおよび前記第２ダクトにおける吸引口の開口面は、前記液体噴射ヘッドから離れるほど媒体搬送面からの距離が小さくなるようにして、前記液体噴射ヘッドによる前記液体の吐出空間に向かって開口されて前記吐出空間に負圧を発生させ、
　前記第１ダクトおよび前記第２ダクトは、前記媒体搬送面の垂直方向に延びて設けられている液体噴射装置。」
　
３．当審で指摘した拒絶理由の概要
　当審において平成２８年７月２５日付けで通知した拒絶の理由は、特許法第２９条第１項第３号の規定に係る理由１と、同条第２項の規定に係る理由２であるが、そのうち拒絶の理由２の概要は、本願の請求項１ないし７の発明は，本願の優先日前の平成１２年１０月３日に頒布された特開２０００−２７２１０４号公報（以下「引用例１」という。）、同じく平成１７年７月１４日に頒布された特開２００５−１８６４２２号公報（以下「引用例２」という。）、同じく平成１１年５月２８日に頒布された特開平１１−１４６５８７号公報（以下「引用例３」という。）、同じく平成６年６月２８日に頒布された特開平６−１８０１７１号公報（以下「引用例４」という。）、同じく平成１９年６月７日に頒布された特開２００７−１３６７６１号公報（以下「引用例５」という。）に記載された発明に基づいて、当業者が容易に発明をすることができたものであるから、本願の前記各請求項の発明については、特許法第２９条第２項の規定により特許を受けることができないとするもので、以下、この拒絶の理由２について検討する。
　
４．引用例の記載事項と引用発明
　（１）引用例１には、図面と共に次の事項が記載されている。（なお、下線は審決で付した。以下同じ。）
ア．「【請求項３】  
記録媒体の記録面に対して記録に用いられる液体を吐出して記録動作を行う記録部が該記録媒体の搬送方向に沿って複数個、配列収容される記録部収容体内に、該記録媒体の搬送方向に沿って該記録部に隣接した下流側または上流側となる位置にそれぞれ配され、該記録媒体に記録面に付着した該液体を加熱定着させる複数の加熱部と、
前記加熱部と前記記録部との間にそれぞれ配され、前記記録媒体の記録面近傍と前記記録部収容体とを連通させる連通路を有し該加熱部から前記記録部への熱の移動を断つ複数の断熱部と、
前記連通路を通じて前記記録媒体の記録面近傍において飛沫した前記液体を含む気体を吸引排出する吸引排出手段と、
を具備した加熱式定着装置
イ．「【０１２４】図１６および図１７は、本発明に係る加熱式定着装置のさらなる他の例の要部を示す。なお、本例においても、図１３に示される制御ユニット１００が同様に備えられている。
【０１２５】図１６および図１７においては、ヘッドブロック７２内に
記録ヘッド
ウ．「【０１３０】ハロゲンヒータ１６０は、吸引排出ダクト１５２の内側において、隣接する各記録ヘッド間の中間部近傍にそれぞれ配置される。これは、画像記録中に、ある一定色の印字後に、その
インクが直ちにハロゲンヒータ１６０によって加熱定着されることにより、用紙Ｐａ上にすでに打ち込まれたインクを乾燥および定着させる
【０１３１】このハロゲンヒータ１６０は、その記録面を非接触加熱している。これにより、記録面が乾燥され、インクの乾燥が促進され、定着速度が大幅に向上することとなる。
【０１３２】各
ハロゲンヒータ１６０は、ハロゲンヒータ８４と同様に制御ユニット１００により、用紙Ｐａの搬送に応じた所定のタイミングで加熱動作が制御される
エ．「【０１４１】本実施例においては、所謂、インクミスト吸引用ダクトと記録ヘッド断熱手段とが同一の部材により兼用された構成となっているものである。
【０１４２】
記録ヘッド
記録ヘッド
記録ヘッド
記録ヘッド
記録ヘッド
【０１４３】その際、インクミストが各記録ヘッドと用紙Ｐａ上との間を浮遊し、ヘッドの吐出口に付着した場合には、所謂、”ヌレ不吐”と呼ばれる吐出不能現象が生じ、また、ベルト等の装置に付着した場合には装置機能の低下を招くことになる。」
オ．「【０１４４】そこで、本実施例においては、各
記録ヘッド
【０１４５】プロペラファンユニット１５０の作動により、用紙Ｐａと各記録ヘッド７０Ｃ〜７０Ｂとの間に浮遊しているインクミストが各吸引分岐路１５６を通じて吸引され、図１６の矢印の示す方向に沿って、吸引排出ダクト１５２の共通の内部空間に案内され、それが図１６の矢印の示す方向に沿って最終的に外部に運ばれる。
【０１４６】従って、用紙Ｐａ上のインク吐出量が、記録ヘッド７０Ｃ→記録ヘッド７０Ｍ→記録ヘッド７０Ｙ→記録ヘッド７０Ｂの順に増加するが、しかし、各吸引分岐路１５６が各記録ヘッド７０Ｃ〜７０Ｂの間に設けられ、プロペラファンユニット１５０により吸引されるので浮遊するインクミストを、均一かつ印字領域全域に渡って除去することができる。」
カ．「【０１４７】
本実施例における断熱装置１５４および１５８は、各記録ヘツド
間に設けられているハロゲンヒータ１６０からの熱を断つための断熱壁の役割を備えていると同時に、浮遊するインクミストを吸引するための吸引分岐路１５６を形成しダクトとしての機能を有する
キ．図１６、１７から、
７つの吸引分岐路１５６は、いずれも記録媒体の搬送面に対して垂直方向に延在しており、また、上記７つの吸引分岐路１５６のうち、最も左（下流側）に位置する吸引分岐路１５６は、ハロゲンヒータ８４と複数の記録ヘッドとの間にあり、最も右（上流側）に位置する吸引分岐路１５６は、全ての記録ヘッドにおける最も右（上流側）に位置する記録ヘッドのすぐ左（下流側）に位置し、ハロゲンヒータ８４とは逆側にある
　図面（図１６、１７）の記載も参照して、上記アの記載事項と、上記イ以下に記載されている事項との対応関係についてみると、記載事項アの「記録部」は、「記録ヘッド」（イ、オ）に対応しており、以下同様に、「複数の加熱部」は「ハロゲンヒータ１６０及びハロゲンヒータ８４」（ウ）に、「断熱部」は「断熱装置１５４および１５８」（カ）に、それぞれ対応しており、これらの断熱装置１５４および１５８は、「断熱壁の役割を備えていると同時に、浮遊するインクミストを吸引するための吸引分岐路１５６を形成しダクトとしての機能を有する」ものとされている。
　
　したがって、上記ア〜キの記載事項を総合すると、引用例１には、次の発明（以下「引用発明１」という。）が記載されているものと認められる。 
　「記録媒体の記録面に対して記録に用いられる液体を吐出して記録動作を行う記録ヘッドが該記録媒体の搬送方向に沿って複数個、配列収容される記録ヘッド収容体内に、該記録媒体の搬送方向に沿って該記録ヘッドに隣接した下流側または上流側となる位置にそれぞれ配され、該記録媒体に記録面に付着した該液体を加熱定着させるハロゲンヒータ１６０及びハロゲンヒータ８４と、
　前記ハロゲンヒータ１６０及びハロゲンヒータ８４と前記記録ヘッドとの間にそれぞれ配され、前記記録媒体の記録面近傍と前記記録部収容体とを連通させる連通路を有し該ハロゲンヒータ１６０及びハロゲンヒータ８４から前記記録ヘッドへの熱の移動を断つとともに、浮遊するインクミストを吸引するための吸引分岐路１５６を形成しダクトとしての機能を有する複数の断熱装置１５４および１５８と、
　前記連通路を通じて前記記録媒体の記録面近傍において飛沫した前記液体を含む気体を吸引排出する吸引排出手段とを具備し、
　前記吸引分岐路１５６は、記録媒体の搬送面に対して垂直方向に延在しており、また、７つの吸引分岐路１５６のうち、最も左（下流側）に位置する吸引分岐路１５６は、ハロゲンヒータ８４と複数の記録ヘッドとの間にあり、最も右（上流側）に位置する吸引分岐路１５６は、全ての記録ヘッドにおける最も右（上流側）に位置する記録ヘッドのすぐ左（下流側）に位置し、ハロゲンヒータ８４とは逆側にある、加熱式定着装置。」
　
（２）引用例２には、図面と共に以下の事項が記載されている。
ア．「【００５２】
  図１に示すように、本実施の形態において、
画像記録装置１
イ．「【００５４】
  また、プラテン２の上方には、棒状のキャリッジレール３が搬送方向に直交する主走査方向Ａに延在して配置されている。このキャリッジレール３には、
キャリッジ４
【００５５】
  
キャリッジ４には、
４つの記録ヘッド５，５…が一群として搭載されてい
【００５６】
  また、キャリッジ４内部であって、
記録ヘッド５，５…のうち両端に配置された記録ヘッド５，５とキャリッジ４の両側の側壁との間には、
紫外線照射装置６，６が
配設されている
ウ．「【００５９】
  
各紫外線照射装置６，６と記録ヘッド５，５…との間には記録ヘッド５，５…から吐出され飛散したインクミスト及び紫外線照射装置６，６が発熱することによって発生した加熱された空気を吸引するための吸引機構１１，１１が設けられている
吸引機構１１，１１は
記録媒体Ｐに対して開口する開口部１２を有するダクト１３，１３を備え
記録媒体Ｐの画像記録面付近には記録ヘッド５，５…から吐出され霧状になったインクを含んだ空気及び紫外線照射装置６，６から発生した熱を帯びた空気が滞留している
空気をダクト１３，１３内部に引き込み、除去できるようになっている
エ．図１から、吸引機構１１，１１が備える２つのダクト１３，１３が、４つの記録ヘッドの全てを挟んで対向するように設けられていることが看取できる。
　
　上記の記載事項からみて、引用例２には、次の発明（以下「引用発明２」という。）が記載されていると認められる。
　「４つの記録ヘッド５，５…が一群として搭載されているキャリッジ４を備えた、画像記録装置１であって、
　記録ヘッド５，５…のうち両端に配置された記録ヘッド５，５とキャリッジ４の両側の側壁との間には、紫外線照射装置６，６が配設され、各紫外線照射装置６，６と記録ヘッド５，５…との間には記録ヘッド５，５…から吐出され飛散したインクミスト及び紫外線照射装置６，６が発熱することによって発生した加熱された空気を吸引するための吸引機構１１，１１が設けられており、
　吸引機構１１，１１は記録媒体Ｐに対して開口する開口部１２を有するダクト１３，１３を備え、記録媒体Ｐの画像記録面付近に滞留する、記録ヘッド５，５…から吐出され霧状になったインクを含んだ空気及び紫外線照射装置６，６から発生した熱を帯びた空気をダクト１３，１３内部に引き込み、除去できるようになっており、２つのダクト１３，１３は、４つの記録ヘッドの全てを挟んで対向するように設けられている画像記録装置１。」
　
（３）引用例３には、図面と共に以下の事項が記載されている。
ア．「【０００１】
【発明の属する技術分野】本発明は、例えば
タービン発電機等の回転電機の回転子巻線端部の冷却構造
イ．「【００２５】第１の実施の形態では、
軸方向に向かって流れる冷媒ガスの一部を回転子巻線端部の回転子巻線２間に導き
【００２６】この場合、通風路２０は図２に示すように
軸方向に向って流れる冷媒ガスを取入れるための流入口を、冷媒ガスが取込み易いように傾斜させてある
【００２７】即ち、通風路２０の流入口より取込まれた冷媒ガスは、図３に示すように遠心力によって保持環５の内面側へ導かれ、巻線２に面した保持環５の内面近傍に設けられた通風孔２１より巻線２の表面に吐出される。
【００２８】この巻線２の表面に吐出された冷媒ガスは、回転子巻線２近傍の流体に作用する強大な浮力によって巻線２を冷却しながら巻線２の表面に沿って回転子軸８方向に流動する。」
　
　上記の記載事項からみて、引用例３には、次の発明（以下「引用発明３」という。）が記載されていると認められる。
　「タービン発電機等の回転電機の回転子巻線端部を、軸方向に向かって流れる冷媒ガスの一部を回転子巻線端部の回転子巻線２間に導き、この導かれた冷媒ガスによって冷却する冷却構造のための通風路２０であって、軸方向に向って流れる冷媒ガスを取入れるための流入口を、冷媒ガスを取込み易いように傾斜させた通風路２０。」
　
（４）引用例４には、図面と共に以下の事項が記載されている。
ア．「【００１８】
【第１実施例】図１は、本発明の冷蔵ショーケースの第１実施例の外観を示す斜視図である。
【００１９】
この冷蔵ショーケースは、上部に
庇体(１)を設置し
イ．「【００２２】図２は、図１の冷蔵ショーケースの縦断側面図である。
庇体(１)は、
フレーム(11)を有し
【００２３】フレーム(11)の中央部下面には、冷凍機に接続された蒸発器(13)が装着されている。冷凍機の本体(図示省略)は、庇体(１)と分離して、適宜の場所、たとえばブース近傍の床上等に設置してある。」
ウ．「【００２５】
フレーム(11)の後端に、
吸入口(15)を設置してある。吸入口(15)は、下端をやや前方にして傾設され、下方からの気流を吸入するようにしてある
エ．「【００２６】
吸入口(15)の内部に吸気フアン(16)を設置して、吸入口(15)を通して外気を吸入し、蒸発器(13)に送りこむ
【００２７】
フレーム(11)前端
に
冷気吹出口(17)を
設置してある
蒸発器(13)を通って冷却された気流を、下方の床面(２)
へ向けて吹き出すようにしてある
　上記の記載事項からみて、引用例４には、次の発明（以下「引用発明４」という。）が記載されていると認められる。
　「冷蔵ショーケースの上部に設置される庇体１であって、庇体１が有するフレーム（１１）の後端には吸入口（１５）を設置し、フレーム（１１）前端に冷気吹出口（１７）を設置し、吸入口（１５）の内部に吸気フアン（１６）を設置して、吸入口（１５）を通して外気を吸入して蒸発器（１３）に送りこみ、蒸発器（１３）を通って冷却された気流を下方の床面（２）へ向けて吹き出すようにしてあり、吸入口（１５）は下端をやや前方にして傾設され、下方からの気流を吸入するようにしてある庇体１。」
　
（５）引用例５には、図面と共に以下の事項が記載されている。
ア．「【０００１】
  本発明は、複数台のインクジェットヘッドを記録紙の走行方向に配置してなるインクジェット記録装置で、特に各
インクジェットヘッド下面と記録紙との間に発生するインクミストを回収除去することができるようにしたインクジェット記録装置
イ．「【００１５】
  本発明の実施の形態を図面に基づいて説明する。図１は本発明に係る装置の全体を示す正面図であり、図中１はガイドローラ２，２…にて構成されるペーパラインに沿って走行する記録紙（輪転紙あるいは枚葉紙）、３ａ，３ｂはこのペーパラインに沿って複数台（２台）設けられたインクジェットヘッド、４はこれの下面側に設けたノズルヘッドである。このノズルヘッド４は記録紙１の幅方向にインクノズルをライン状に並設した構成になっている。」
ウ．「【００１７】
  上記複数台のインクジェットヘッド３ａ，３ｂのうち、最上流側のインクジェットヘッド３ａの上流側には、このインクジェットヘッド３ａの下面と記録紙１との間に隙間に上流側から空気を吹き込む空気吹き出し装置８が、また最下流側のインクジェットヘッド３ｂの下流側には、このインクジェットヘッド３ｂの下面と記録紙１との間の隙間の空気を下流側から吸引する空気吸引装置９が設けてある。そして
各インクジェットヘッド３ａ，３ｂの間には、
空気吸引・吹き出し装置１０が設けてある
エ．「【００２０】
  上記
空気吸引・吹き出し装置１０は
これらの間に吸引口１５から空気を吸引すると共に、吹き出しノズル１６から吹き出すようにした
ファン１２ｃと、このファン１２ｃの上流側に位置するインクフィルタ１７とが設けてある
この空気吸引・吹き出し装置１０は、インクジェットヘッド３ａ，３ｂの間に設置された状態で、これの吸引口１５が上流側のインクジェットヘッド３ａの下流端に対向し、また吹き出しノズル１６の先端が下流側のインクジェットヘッド３ｂの下側に上流側から少し入り込むような形状になっている
オ．「【００２３】
  かくすることにより、空気吹き出し装置８の吹き出しノズル１１から吹き出た空気が最上流側のインクジェットヘッド３ａの下面と記録紙１との間の隙間を通って、記録紙１の走行方向下流側へ層状になって流れ、このインクジェットヘッド３ａの下流側において、空気吸引・吹き出し装置１０の吸引口１５から吸引される。
【００２４】
  一方、この空気吸引・吹き出し装置１０の吸引口１５から吸引され、インクフィルタ１７を通った空気は吹き出しノズル１６から吹き出され、この空気は下流側のインクジェットヘッド３ｂの下面と記録紙１との間の隙間を通って記録紙１の走行方向に層状に流れ、このインクジェットヘッド３ｂの下流側において、空気吸引装置９の吸引口１３から吸引される。
【００２５】
  このときにおいて、
上流側のインクジェットヘッド３ａのインクヘッド４の周囲に発生したインクミストは、空気吸引・吹き出し装置１０にて吸引されてこれのインクフィルタ１７にて捕捉される
カ．図１、２から、
上流側のインクジェットヘッド３ａの下流端に対向する吸引口１５が、上流側のインクジェットヘッド３ａから離れるほど記録紙からの距離が小さくなる傾斜状態で設けられている
　上記の記載事項からみて、引用例５には、次の発明（以下「引用発明５」という。）が記載されていると認められる。
　「インクジェットヘッド下面と記録紙との間に発生するインクミストを回収除去することができるようにした空気吸引・吹き出し装置１０を備えたインクジェット記録装置であって、
　空気吸引・吹き出し装置１０は、インクジェットヘッド３ａ，３ｂの間に設置された状態で、これの吸引口１５が上流側のインクジェットヘッド３ａの下流端に対向し、また吹き出しノズル１６の先端が下流側のインクジェットヘッド３ｂの下側に上流側から少し入り込むような形状になっていて、吸引口１５と吹き出しノズル１６との間に吸引口１５から空気を吸引すると共に、吹き出しノズル１６から吹き出すようにしたファン１２ｃと、このファン１２ｃにより生じる空気流中のインクミストを捕捉するミストフィルタ１７とを設けてなり、
　前記空気吸引口１５は、上流側のインクジェットヘッド３ａから離れるほど記録紙からの距離が小さくなる傾斜状態で設けられている空気吸引・吹き出し装置１０を備えたインクジェット記録装置。」
　
５．対比
　本願発明と引用発明１とを対比する。
　後者の「加熱式定着装置」は、その構成や機能・作用等からみて、前者の「液体噴射装置」に相当するものであり、以下同様に、「記録媒体」は「媒体」に、「液体を吐出して記録動作を行う記録ヘッド」は「媒体に対して液体を噴射する液体噴射ヘッド」に、「記録媒体に記録面に付着した該液体を加熱定着させるハロゲンヒータ１６０及びハロゲンヒータ８４」は「噴射された前記液体が着弾した前記媒体を加熱する加熱手段」に、「（７つの吸引分岐路１５６のうち、最も左（下流側）に位置して、ハロゲンヒータ８４と複数の記録ヘッドとの間にある）吸引分岐路１５６」は「前記加熱手段と前記複数の液体噴射ヘッドの間に設けられた第１ダクト」に、「ハロゲンヒータ８４とは逆側にある吸引分岐路１５６」は「加熱手段とは逆側に設けられている第２ダクト」に、「記録媒体の搬送面に対して垂直方向に延在して」は「前記媒体搬送面の垂直方向に延びて設けられている」に、にそれぞれ相当している。また、前者でいう「吐出空間」とは、「記録ヘッド２５による液体噴射域のことであり、また、インクの噴射によって発生するインクミストが浮遊している空間のことでもある」（段落【００２３】参照。）から、後者の吸引分岐路１５６が「浮遊するインクミストを吸引する」ものである以上、その吸引口の開口面は、前者と同様に「液体噴射ヘッドによる液体の吐出空間に向かって開口されて吐出空間に負圧を発生させ」ているといえる。
　                     
　したがって、両者は、 
　「媒体に対して液体を噴射する複数の液体噴射ヘッドと、
　噴射された前記液体が着弾した前記媒体を加熱する加熱手段と、
　前記加熱手段と前記複数の液体噴射ヘッドの間に設けられた第１ダクトと、
　前記加熱手段とは逆側に設けられている第２ダクトと、を備える液体噴射装置において、
　前記第１ダクトおよび前記第２ダクトにおける吸引口の開口面は、前記液体噴射ヘッドによる前記液体の吐出空間に向かって開口されて前記吐出空間に負圧を発生させ、
　前記第１ダクトおよび前記第２ダクトは、前記媒体搬送面の垂直方向に延びて設けられている液体噴射装置。」  
　の点で一致し、以下の点で相違している。 
　［相違点１］
　第２ダクトが、本願発明では「複数の液体噴射ヘッドを挟んで」いるのに対し、引用発明１では、「全ての記録ヘッドにおける最も右（上流側）に位置する記録ヘッドのすぐ左（下流側）に位置し」ている点。
　［相違点２］ 
　本願発明では、第１ダクトおよび第２ダクトにおける吸引口の開口面は、「液体噴射ヘッドから離れるほど媒体搬送面からの距離が小さくなるようにして」いるのに対し、引用発明１では、そのようなものでない点。
　　
６．当審の判断
　上記相違点について以下検討する。
（１）相違点１について
　引用発明１の「最も右（上流側）に位置する吸引分岐路１５６（第２ダクト）」は、最も右（上流側）に位置する記録ヘッドを挟んだ位置に設けられていないものの、その他の複数の記録ヘッドを挟んだ位置に設けられているといえる。
　また、本願発明における「複数の液体噴射ヘッドを挟んで」との意義が、「全ての複数の液体噴射ヘッドを挟んで」と解釈されてるものであっても、引用発明２には、「２つのダクト１３，１３（第１ダクト、第２ダクト）は、４つの記録ヘッド（液体噴射ヘッド）の全てを挟んで対向するように設けられている」ものであるから、上記相違点１に係る本願発明の発明特定事項は、上記引用発明２に備えられているといえる。
　そして、引用発明１と引用発明２とは、液体噴射装置という共通する技術分野に属し、引用発明１において、最も右側（上流側）に位置する吸引分岐路１５６（第２ダクト）を複数の記録ヘッドの全てを挟んだ位置に設けることが技術的に格別困難であるものでもないから、引用発明１に引用発明２を適用することは、当業者が容易に想到し得るものである。
　したがって、引用発明１において、引用発明２を適用することにより、上記相違点１に係る本願発明の発明特定事項とすることは、当業者が容易に想到し得るものである。
（２）相違点２について
　引用発明３では「冷媒ガスを取入れるための流入口を、冷媒ガスを取込み易いように傾斜させた」としており、引用発明４では「吸入口（１５）は下端をやや前方にして傾設され」としており、引用発明５では「空気吸引口１５は、上流側のインクジェットヘッド３ａから離れるほど記録紙からの距離が小さくなる傾斜状態で設けられている」としているものであって、上記の「流入口」、「吸入口（１５）」、及び「空気吸引口１５」は、冷媒ガスや空気などの流体を吸引するものであるから、「吸引口」といえ、引用発明３ないし５は、いずれも吸引口の開口面を吸引方向に向かって傾斜するように設けることを示したものといえる。
　そして、空気などの流体を吸引する吸引口の開口面を、吸引方向に向かって傾斜するように設けることは、インクミストの回収除去に関する技術分野を含む、各種の技術分野で一般的に行われている技術事項であり、これによって吸引の効率が向上するものであり、引用発明１においても、浮遊するミストを吸引するものであって、浮遊するミストを効率よく吸引しようとすることは、明らかであるから、引用発明１に引用発明３ないし５を適用することは、当業者が容易に想到し得るものである。
　したがって、引用発明１において、引用発明３ないし５を適用することにより、上記相違点２に係る本願発明の発明特定事項とすることは、当業者が容易に想到し得るものである。
　なお、特に、引用発明５には、吸引口の開口面を「インクジェットヘッド３ａから離れるほど記録紙からの距離が小さくなる」傾斜状態で設けることが示されており、これは、上記相違点２に係る本願発明の発明特定事項を備えているものである。
（３）また、本願発明の発明特定事項の全体によって奏される効果も、引用発明１ないし５から当業者が予測し得る範囲内のものといえる。
　
７．むすび
　以上のとおり、本願発明は、引用発明１ないし５に基づいて当業者が容易に発明をすることができたものであるから、特許法第２９条第２項の規定により特許を受けることができない。
　よって、結論のとおり審決する。